(57)【要約】【課題】植物栽培用光源全体を交換することなく、所望する光のピーク波長に簡便に変更することができる植物栽培用光源を提供することを目的とする。【解決手段】植物栽培用光源１は、波長２８０ｎｍ〜４５０ｎｍの光を発光する発光ダイオード２が、この発光ダイオード２の光照射によって励起されて波長４００ｎｍ〜４８０ｎｍの青色光を発光する青色蛍光体と、波長６１０ｎｍ〜７８０ｎｍの赤色光を発光する赤色蛍光体とを含有する透光性基材材料により成形された蛍光部材３で、脱着可能に覆われているものである。【選択図】図１
2010193824.tif 000002
【特許請求の範囲】
【請求項１】
ピーク波長２８０ｎｍ〜４５０ｎｍの光を発光する発光ダイオードからの光照射によって励起されて、ピーク波長４００ｎｍ〜４８０ｎｍの青色光を発光する青色蛍光体を含有する透光性基材材料により形成された青色光蛍光部材と、
該発光ダイオード、または、該発光ダイオードと同様の光を発光する他の発光ダイオードからの光照射によって励起されて、ピーク波長６１０ｎｍ〜７８０ｎｍの赤色光を発光する赤色蛍光体を含有する透光性基材材料により形成された赤色光蛍光部材と、を備え、
該青色光蛍光部材および該赤色光蛍光部材が、着脱可能に取り付けられていることを特徴とする植物栽培用光源。
【請求項２】
前記青色光蛍光体および前記赤色光蛍光体が同一の透光性基材材料に含有されることで、前記青色光蛍光部材および前記赤色光蛍光部材が共通の部材によって構成されていることを特徴とする請求項１に記載の植物栽培用光源。
【請求項３】
前記青色光と前記赤色光との発光ピーク波長の強度比が青色光：赤色光＝１：１〜１：１０であることを特徴とする請求項１に記載の植物栽培用光源。
【請求項４】
前記青色光蛍光部材は、前記青色蛍光体を１種もしくは２種以上、および、前記赤色光蛍光部材は、前記赤色蛍光体を１種もしくは２種以上、含有して形成されていることを特徴とする請求項１に記載の植物栽培用光源。
【請求項５】
前記青色蛍光体は、（ＳｒＣａＢａ）５（ＰＯ４）３Ｃｌ：Ｅｕ、ＢａＭｇＡｌ１０Ｏ１７：Ｅｕ、ＺｎＳ：Ａｇ、ＣａＳ：Ｅｕ、および／またはＳｒ１０（ＰＯ４）６Ｃｌ２：Ｅｕを含むものであることを特徴とする請求項１に記載の植物栽培用光源。
【請求項６】
前記赤色蛍光体は、３．５ＭｇＯ・０．５ＭｇＦ２・ＧｅＯ２：Ｍｎ、Ｌａ２Ｏ２Ｓ：Ｅｕ、Ｙ２Ｏ２Ｓ：Ｅｕ、ＬｉＥｕＷ２Ｏ８、（Ｙ，Ｇｄ，Ｅｕ）２Ｏ３、（Ｙ，Ｇｄ，Ｅｕ）ＢＯ３、および／またはＹＶＯ４：Ｅｕを含むものであることを特徴とする請求項１に記載の植物栽培用光源。
【請求項７】
前記青色光蛍光部材および前記赤色光蛍光部材は、キャップ形状またはシート形状に成形されていることを特徴とする請求項１に記載の植物栽培用光源。
【請求項８】
前記透光性基材材料は、シリコーンであることを特徴とする請求項１に記載の植物栽培用光源。
【請求項９】
前記シリコーンは、ジメチルシリコーンであることを特徴とする請求項８に記載の植物栽培用光源。
【請求項１０】
前記発光ダイオードは、波長３５０ｎｍ〜４２０ｎｍの光を発光する発光ダイオードであることを特徴とする請求項１に記載の植物栽培用光源。
【請求項１１】
前記発光ダイオードの光を、前記青色光蛍光部材および前記赤色光蛍光部材に導く導光部材が配されていることを特徴とする請求項１に記載の植物栽培用光源。
【発明の詳細な説明】
【技術分野】
【０００１】
本発明は、植物栽培用光源に関するものである。
【背景技術】
【０００２】
近年、人工環境下で野菜や果物、花卉などを栽培する植物工場の実用化が進んでいる。植物工場では、光を人工光源から照射することで、天候や昼夜、季節などの日射条件の影響を受けることなく、植物の安定的かつ効率的な栽培が可能になっている。
【０００３】
植物は、太陽光に含まれる全ての波長の光を用いて生育するのではなく、特定の波長領域の光を用いて育成することがわかってきている。したがって、この特定の波長領域の光を植物に照射することが、植物の効率的な栽培に不可欠な技術となる。
【０００４】
植物栽培用光源としては、従来、メタルハライドランプなどの高輝度放電ランプや蛍光灯が用いられていたが、（１）低消費電力、（２）低発熱、（３）コンパクトな形状、（４）長寿命、などの利点から発光ダイオードが注目されている。
【０００５】
特許文献１には、クロロフィル（葉緑素）が青色領域の４５０ｎｍ付近および赤色領域の６６０ｎｍ付近の２つの波長領域に光吸収ピークを有することが記載され、各光吸収ピークとほぼ同じ発光ピーク波長を有する青色発光ダイオードおよび赤色発光ダイオードを多数マトリクス状に配置した植物栽培用光源が開示されている。
【０００６】
また、特許文献２には、クロロフィルの２つの光吸収ピークに対応させた２種の光を１つの発光ダイオード（ＬＥＤ：Light Emitting Diode）から発光させる植物育成用ＬＥＤ光源が開示されている。同文献には、１個の発光ダイオード内に２個の発光領域を設けた光源や、赤色領域の光吸収ピークの光を発光ダイオード本体で発光させてこの光を一部用いて蛍光体で青色領域の光を発光させる光源が記載されている。
【先行技術文献】
【特許文献】
【０００７】
【特許文献１】特開平８−１０３１６７号公報
【特許文献２】特開２００２−２７８３１号公報
【発明の概要】
【発明が解決しようとする課題】
【０００８】
前記のように、植物はクロロフィルの吸収する特定の２つの波長領域の光を用いて生育するが、さらに近年の研究により、植物の成長段階や植物の種類によって育成に最適な光の波長が異なることがわかってきた。
【０００９】
発光ダイオードは、製造材料の選定で発光ピーク波長を調整することができるが、一旦製造された発光ダイオードは、発光ピーク波長を可変することができない。特許文献２に記載された光源も同様である。
【００１０】
したがって、特許文献１，２に記載された植物栽培用光源では、植物の成長段階や種類に対応させて照射する光の波長を変更することができない。このため、発光ピーク波長を変更するためには、発光ピーク波長を異ならせて製造した別の植物栽培用光源に交換しなければならない。これにより、複数の光源を準備する必要があり、コストが掛ると共に、交換作業が煩雑であるという問題がある。また、植物栽培用光源の製造メーカも、光源全体を多数種類製造する必要があり、製造した製品の保管場所やその管理などが煩雑である。
【００１１】
本発明は、前記の課題を解決するためになされたもので、光源全体を交換することなく、所望する光のピーク波長に簡便に変更することができる植物栽培用光源を提供することを目的とする。
【課題を解決するための手段】
【００１２】
前記の目的を達成するためになされた特許請求の範囲の請求項１に記載の植物栽培用光源は、ピーク波長２８０ｎｍ〜４５０ｎｍの光を発光する発光ダイオードからの光照射によって励起されて、ピーク波長４００ｎｍ〜４８０ｎｍの青色光を発光する青色蛍光体を含有する透光性基材材料により形成された青色光蛍光部材と、
該発光ダイオード、または、該発光ダイオードと同様の光を発光する他の発光ダイオードからの光照射によって励起されて、ピーク波長６１０ｎｍ〜７８０ｎｍの赤色光を発光する赤色蛍光体を含有する透光性基材材料により形成された赤色光蛍光部材と、を備え、
該青色光蛍光部材および該赤色光蛍光部材が、着脱可能に取り付けられていることを特徴とする。
【００１３】
請求項２に記載の植物栽培用光源は、請求項１に記載されたもので、前記青色光蛍光体および前記赤色光蛍光体が同一の透光性基材材料に含有されることで、前記青色光蛍光部材および前記赤色光蛍光部材が共通の部材によって構成されていることを特徴とする。
【００１４】
請求項３に記載の植物栽培用光源は、請求項１に記載されたもので、前記青色光と前記赤色光との発光ピーク波長の強度比が青色光：赤色光＝１：１〜１：１０であることを特徴とする。
【００１５】
請求項４に記載の植物栽培用光源は、請求項１に記載されたもので、前記青色光蛍光部材は、前記青色蛍光体を１種もしくは２種以上、および、前記赤色光蛍光部材は、前記赤色蛍光体を１種もしくは２種以上、含有して形成されていることを特徴とする。
【００１６】
請求項５に記載の植物栽培用光源は、請求項１に記載されたもので、前記青色蛍光体は、（ＳｒＣａＢａ）５（ＰＯ４）３Ｃｌ：Ｅｕ、ＢａＭｇＡｌ１０Ｏ１７：Ｅｕ、ＺｎＳ：Ａｇ、ＣａＳ：Ｅｕ、および／またはＳｒ１０（ＰＯ４）６Ｃｌ２：Ｅｕを含むものであることを特徴とする。
【００１７】
請求項６に記載の植物栽培用光源は、請求項１に記載されたもので、前記赤色蛍光体は、３．５ＭｇＯ・０．５ＭｇＦ２・ＧｅＯ２：Ｍｎ、Ｌａ２Ｏ２Ｓ：Ｅｕ、Ｙ２Ｏ２Ｓ：Ｅｕ、ＬｉＥｕＷ２Ｏ８、（Ｙ，Ｇｄ，Ｅｕ）２Ｏ３、（Ｙ，Ｇｄ，Ｅｕ）ＢＯ３、および／またはＹＶＯ４：Ｅｕを含むものであることを特徴とする。
【００１８】
請求項７に記載の植物栽培用光源は、請求項１に記載されたもので、前記青色光蛍光部材および前記赤色光蛍光部材は、キャップ形状またはシート形状に成形されていることを特徴とする。
【００１９】
請求項８に記載の植物栽培用光源は、請求項１に記載されたもので、前記透光性基材材料は、シリコーンであることを特徴とする。
【００２０】
請求項９に記載の植物栽培用光源は、請求項８に記載されたもので、前記シリコーンは、ジメチルシリコーンであることを特徴とする。
【００２１】
請求項１０に記載の植物栽培用光源は、請求項１に記載されたもので、前記発光ダイオードは、波長３５０ｎｍ〜４２０ｎｍの光を発光する発光ダイオードであることを特徴とする。
【００２２】
請求項１１に記載の植物栽培用光源は、請求項１に記載されたもので、前記発光ダイオードの光を、前記青色光蛍光部材および前記赤色光蛍光部材に導く導光部材が配されていることを特徴とする。
【発明の効果】
【００２３】
本発明による植物栽培用光源によれば、ピーク波長２８０ｎｍ〜４５０ｎｍの光を発光する発光ダイオードからの光照射によって励起されてピーク波長４００ｎｍ〜４８０ｎｍの青色光を発光する青色蛍光体を含有する透光性基材材料により形成された青色光蛍光部材と、前記発光ダイオード、または前記発光ダイオードと同様の光を発光する他の発光ダイオードからの光照射によって励起されてピーク波長６１０ｎｍ〜７８０ｎｍの赤色光を発光する赤色蛍光体を含有する透光性基材材料により成形された赤色光蛍光部材とを備えることにより、１つまたは同種の発光ダイオードを用いて、植物の育成に必要な青色および赤色の２種類の光を発光させることができる。その青色光および赤色光の両波長およびその発光強度比は、蛍光体の種類や含有量を適宜調整することで、任意に変更することができる。さらに、青色光蛍光部材および該赤色光蛍光部材が着脱可能に取り付けられていることにより、これら蛍光部材のみを交換することができ、植物の育成段階や種類に応じた最適な光に簡便に変更することができるため、植物を安定して効率よく安価に栽培することができる。また、植物栽培用光源の製造メーカは、蛍光部材を複数種類製造しておけば、それ以外の構成は共通化できるため、製品の保管場所やその管理が簡便である。また、発光ダイオードよりも蛍光部材のほうが簡便に製造可能なため、波長や強度比を異ならせた植物栽培用光源を簡便に製造することができる。
【００２４】
また、青色光蛍光部材と赤色光蛍光部材との数の比を変更することで、青色光と赤色光との発光強度比を簡便に変更することができる。
【００２５】
本発明による植物栽培用光源によれば、青色光蛍光体および赤色光蛍光体が同一の透光性基材材料に含有されることで、青色光蛍光部材および赤色光蛍光部材が共通の部材によって構成されていることにより、１つの発光ダイオードから植物の育成に必要な青色および赤色の２種類の光を発光させることができる。したがって、点灯回路をシンプルなものとすることができる。
【００２６】
また、本発明による植物栽培用光源によれば、青色光と赤色光との発光ピーク波長の強度比が青色光：赤色光＝１：１〜１：１０であることにより、植物栽培に適する所望の強度比とすることができる。
【００２７】
また、本発明による植物栽培用光源によれば、青色光蛍光部材は、青色蛍光体を１種もしくは２種以上、および、赤色光蛍光部材は、赤色蛍光体を１種もしくは２種以上、含有していることにより、青色光や赤色光を、単色光または複数の単色光の複合する光とすることができ、各々の光の帯域を狭広させたりして、植物の育成に必要な光に一層適するようにすることができる。
【００２８】
また、本発明による植物栽培用光源によれば、青色蛍光体は、（ＳｒＣａＢａ）５（ＰＯ４）３Ｃｌ：Ｅｕ、ＢａＭｇＡｌ１０Ｏ１７：Ｅｕ、ＺｎＳ：Ａｇ、ＣａＳ：Ｅｕ、および／またはＳｒ１０（ＰＯ４）６Ｃｌ２：Ｅｕを含むものであることにより、前記発光ダイオードの光で効率よく青色光を発光させることができる。
【００２９】
また、本発明による植物栽培用光源によれば、赤色蛍光体は、３．５ＭｇＯ・０．５ＭｇＦ２・ＧｅＯ２：Ｍｎ、Ｌａ２Ｏ２Ｓ：Ｅｕ、Ｙ２Ｏ２Ｓ：Ｅｕ、ＬｉＥｕＷ２Ｏ８、（Ｙ，Ｇｄ，Ｅｕ）２Ｏ３、（Ｙ，Ｇｄ，Ｅｕ）ＢＯ３、および／またはＹＶＯ４：Ｅｕを含むものであることにより、前記発光ダイオードの光で効率よく赤色光を発光させることができる。
【００３０】
また、本発明による植物栽培用光源によれば、青色光蛍光部材および赤色光蛍光部材は、キャップ形状またはシート形状に成形されていることにより、キャップ形状の蛍光部材を発光ダイオードに被せたり、シート形状の蛍光部材を発光ダイオードの照射方向に配置したりして、植物栽培用光源の形状を任意の形状に形成することができる。
【００３１】
また、本発明による植物栽培用光源によれば、透光性基材材料がシリコーンであることにより、発光ダイオードの発光する光により安定的な性質を有するため、変色や劣化を防止することができる。
【００３２】
また、本発明による植物栽培用光源によれば、シリコーンがジメチルシリコーンであることにより、変色や劣化を一層防止することができる。
【００３３】
また、本発明による植物栽培用光源によれば、発光ダイオードは、波長３５０ｎｍ〜４２０ｎｍの光を発光する発光ダイオードであることにより、安価であると共に、蛍光体を効率よく発光させることができる。
【００３４】
さらに、本発明による植物栽培用光源によれば、発光ダイオードの光を蛍光部材に導く導光部材が配されていることにより、発光ダイオードと蛍光部材とを任意の位置に配置することができ、例えば、植物栽培光源を薄型にすることができる。
【図面の簡単な説明】
【００３５】
【図１】本発明を適用する植物栽培用光源の一例の構成を説明する斜視図である。
【図２】上記の植物栽培用光源の断面図である。
【図３】上記の植物栽培用光源の発光ダイオードおよび蛍光部材の固定方法を説明する一部拡大断面図である。
【図４】本発明を適用する植物栽培用光源の別の一例の構成を説明する斜視図である。
【図５】本発明を適用する植物栽培用光源の別の一例の使用状態を示す構成図である。
【図６】本発明を適用する植物栽培用光源のさらに別の一例を示す構成図である。
【図７】本発明を適用する植物栽培用光源のさらに別の一例を示す斜視図である。
【図８】実施例１，２および比較例１に用いた植物栽培用光源の発光スペクトルを示すグラフである。
【図９】実施例１，２および比較例１の植物栽培用光源で水菜を栽培したときの、茎の長さと経過日数との関係を示したグラフである。
【図１０】実施例２および比較例１の植物栽培用光源でかいわれ大根を栽培したときの、茎の長さと経過日数との関係を示したグラフである。
【図１１】実施例３に用いた植物栽培用光源の発光スペクトルを示すグラフである。
【発明を実施するための形態】
【００３６】
以下に、本発明を実施するための好ましい形態を詳細に説明するが、本発明の範囲はこれらの形態に限定されるものではない。
【００３７】
本発明の植物栽培用光源の一態様を、図面を参照しつつ説明する。図１に示されるように、この植物栽培用光源１は、発光ダイオード２の発光部に、蛍光部材３が被せられる。
【００３８】
発光ダイオード２は、一例として、光を発光する発光チップ部４、およびこの発光チップ部４に配線するためのリードフレーム５，５を、無色透明なエポキシ樹脂で封入して砲弾型に成形されている。その砲弾型の後端部（図では下端部）は、砲弾筒状部よりも大径の鍔状に成形されている。鍔状部分から図の下側に突出する、リードフレーム５，５と一体化された２本の端子は、発光チップ部４に通電するためのアノード電極、カソード電極となっている。
【００３９】
この発光ダイオード２は、波長２８０ｎｍ〜４５０ｎｍの領域内の光を発光するものである。特に、波長３５０ｎｍ〜４２０ｎｍの領域内の光を発光するものであることが好ましい。本発明で使用できる発光ダイオードは、上記波長領域で発光するものであれば周知のものを用いることができ、例えば、窒化アルミニウムガリウム系発光ダイオード、ダイヤモンド系発光ダイオード、酸化亜鉛系発光ダイオード、窒化ガリウム系発光ダイオードを挙げることができる。
【００４０】
蛍光部材３は、本発明における青色光蛍光部材および赤色光蛍光部材が共通の部材によって構成された例であって、透光性基材材料によって、同図に示されるように発光ダイオード２の砲弾型部分にちょうど被さるキャップ形状に成形され、発光ダイオード２の発光部分に着脱可能に装着される。この透光性基材材料としては、発光ダイオード２の発光する光によって変色や劣化の少ない安定的なものであると共に、この光や蛍光部材３の青色蛍光体および赤色蛍光体が発光する光を透過するものを用いることができる。例えば、シリコーン、ガラス、エポキシ樹脂、またはアクリル樹脂を例示できるが、特に発光ダイオード２の光に対して高い安定性を有し、この光をほとんど吸収せず、成形も簡便に行えるシリコーンであることが好ましい。さらに、シリコーンの中でも一層高い安定性を有するジメチルシリコーンであることがより好ましい。
【００４１】
蛍光部材３は、発光ダイオード２からの光照射によって励起されてピーク波長４００ｎｍ〜４８０ｎｍの領域内の青色光を発光する青色蛍光体、およびピーク波長６１０ｎｍ〜７８０ｎｍの領域内の赤色光を発光する赤色蛍光体を混合して、同一の透光性基材材料に含有して形成されたものである。上記の青色光および赤色光は、様々な植物の種類やそれら植物の成長段階に応じて育成に必要となる光の波長を包括する光である。特に、青色蛍光体は、ピーク波長４３０ｎｍ〜４６０ｎｍの領域内の青色光を発光するものがより好ましく、赤色蛍光体は、ピーク波長６５０ｎｍ〜６８０ｎｍの領域内の赤色光を発光するものがより好ましい。これは、多くの植物に共通して必要とされる光波長によるものである。
【００４２】
蛍光部材３には、一例として酸化チタンおよび炭酸カルシウムなどの、光散乱材を添加することもできる。
【００４３】
蛍光部材３を発光ダイオード２の発光部に被せた状態の断面図が、図２に示されている。蛍光部材３は、透光性基材材料をシリコーンに選定して弾性を有して形成した場合には、同図に示されるように、発光ダイオード２に密着させることでその弾性による締め付けや摩擦によって着脱可能に固定することができる。また、図３（ａ）の鍔部付近の一部拡大断面図に示されるように、蛍光部材３の端部を発光ダイオード２の鍔部に接着材８で接着固定することもできる。この場合には、蛍光部材３を取り外す際に接着材８を剥がし、取り付ける際に再度接着を行う。また、図３（ｂ）に示されるように、発光ダイオード２に凸部９ａを設け、これと嵌合するように蛍光部材３に凹部を設けて着脱可能に固定することもできる。さらに、図３（ｃ）に示されるように、発光ダイオード２に雄螺子９ｂを設け、蛍光部材３に雌螺子を設けてもよいし、図３（ｄ）に示されるように、発光ダイオード２に嵌合孔９ｃを設け、蛍光部材３に固定爪を設けてもよい。この他にも周知の固定方法を用いることで発光ダイオード２に蛍光部材３を着脱可能に固定するができる。
【００４４】
蛍光部材３の透光性基材材料には、前記の青色光および赤色光の波長領域内で発光する青色蛍光体および赤色蛍光体が、均一に含有されることが望ましい。例えば、透光性基材にシリコーンを用いる場合には、シリコーン材料および両蛍光体を充分に混合し、所望の形状の金型に流し込んで加熱プレスすることで、両蛍光体がシリコーン中に均等に分散した蛍光部材３を得ることができる。
【００４５】
青色蛍光体および赤色蛍光体は、発光ダイオード２からの光照射で発光した際に、前記波長領域内の青色光と赤色光との各々の発光ピーク波長（スペクトルピーク波長）の強度比が青色光：赤色光＝１：１〜１：１０の範囲内、より好ましくは青色光：赤色光＝１：５〜１：１０の範囲内であるようにそれら含有量を調製することが好ましい。また透光性基材材料に含有する青色蛍光体の種類は、１種に限られず２種以上を混合してもよく、同様に、赤色蛍光体の種類も１種に限られず２種以上を混合してもよい。
【００４６】
青色蛍光体としては、発光ダイオード２からの光照射で前記波長領域内の青色光を発光可能なものであれば用いることができ、好ましくは、（ＳｒＣａＢａ）５（ＰＯ４）３Ｃｌ：Ｅｕ、ＢａＭｇＡｌ１０Ｏ１７：Ｅｕ、ＺｎＳ：Ａｇ、ＣａＳ：Ｅｕ、Ｓｒ１０（ＰＯ４）６Ｃｌ２：Ｅｕを挙げることができる。青色蛍光体は顔料系であることが好ましい。また、異なる発光ピーク波長の青色蛍光体を組み合わせることで、発光ピーク波長の半値幅を広くすることができるのでより好ましい。
【００４７】
赤色蛍光体としては、発光ダイオード２からの光照射で前記波長領域内の青色光を発光可能なものであれば用いることができ、好ましくは、３．５ＭｇＯ・０．５ＭｇＦ２・ＧｅＯ２：Ｍｎ、Ｌａ２Ｏ２Ｓ：Ｅｕ、Ｙ２Ｏ２Ｓ：Ｅｕ、ＬｉＥｕＷ２Ｏ８、（Ｙ，Ｇｄ，Ｅｕ）２Ｏ３、（Ｙ，Ｇｄ，Ｅｕ）ＢＯ３、ＹＶＯ４：Ｅｕを挙げることができる。赤色蛍光体は顔料系であることが好ましい。異なる発光ピーク波長の赤色蛍光体を組み合わせることで、発光ピーク波長の半値幅を広くすることができるのでより好ましい。
【００４８】
この植物栽培用光源１の動作について図２を参照しつつ説明する。
【００４９】
発光ダイオード２のアノード電極、カソード電極間に非図示の点灯回路から通電することにより、発光チップ部４が発光する。この光が発光ダイオード２から蛍光部材３に光照射される。この光照射によって、蛍光部材３の青色蛍光体および赤色蛍光体が励起されて、青色光および赤色光を発光する。このため、蛍光部材３からは、図２に矢印で示されるように、青色光および赤色光の混合した植物栽培用光Ｌが照射される。なお、発光ダイオード２の発光した光は、青色蛍光体および赤色蛍光体にそのほとんどが吸収される。
【００５０】
この植物栽培用光源１を１つ用いて植物を栽培してもよいし、所望する光量に応じて複数個を用いて植物を栽培してもよい。
【００５１】
植物栽培用光源１の青色光、赤色光の各々の発光ピーク波長や、それらの発光強度比を変更する場合、蛍光部材３を交換することによって行う。すなわち、青色蛍光体および赤色蛍光体の種類を適宜選定し、これら含有量を調整して、所望する発光ピーク波長や発光強度比となるように予め製造した蛍光部材３に交換することによって行う。
【００５２】
なお、表面実装型の発光ダイオード２にも、本発明を適用することができる。図４には、表面実装型の発光ダイオード２にキャップ形状の蛍光部材３が被せられて構成される植物栽培用光源１ａが示されている。なお、すでに説明した構成と同様のものについては、同じ符号を付して説明を省略する。同図では、回路接続用のプリントパターン３２ａ，３２ｂの形成された基板３１に、略直方体状チップ形状である発光ダイオード２が取り付けられている。この発光ダイオード２のアノード電極３０ａ、カソード電極３０ｂは、プリントパターン３２ａ、３２ｂの半田付け用ランドに半田付けされている。蛍光部材３は、発光ダイオード２にちょうど被さって嵌る窪みを有したキャップ形状に形成されている。この例では、発光ダイオード２を基板３１に半田付けした後に、蛍光部材３を発光ダイオード２に被せて取り付ける。なお、蛍光部材３が半田付け時の熱に対して耐熱性を有していれば、あらかじめ、発光ダイオード２に蛍光部材３を被せた状態で半田付けを行ってもよい。このように表面実装型の発光ダイオード２であっても、蛍光部材３で覆うことによって本発明の植物栽培用光源とすることができる。
【００５３】
次に、本発明を適用する別の態様について図５を参照しつつ説明する。
【００５４】
この植物栽培用光源１ｂは、一面が開口した箱体１４の中に、発光ダイオード２を複数実装した基板１０が配置され、この箱体１４の開口部に蓋をして覆うように四角形型のシート形状に成形された蛍光部材３ａが装着されて構成されている。発光ダイオード２は、いずれも箱体１４の開口部に向かって光を照射する向きで基板１０に実装されている。複数の発光ダイオード２は、例えば基板１０に、一列に配列されたり、縦横にマトリクス状に配列されたり、同心円状に配列されたりして、長方形、円形など種々の平面形状に実装されている。
【００５５】
蛍光部材３ａは、すでに説明したキャップ形状の蛍光部材３と形状が異なるだけであり、蛍光部材３と同様に、青色蛍光体および赤色蛍光体を透光性基材材料に含有させてシート形状に形成されたものである。また、この蛍光部材３ａも蛍光部材３と同様に、本発明の青色光蛍光部材および赤色光蛍光部材が共通の部材によって構成された例に相当する。
【００５６】
蛍光部材３ａは、固定部材１５によって箱体１４の開口部に着脱可能に装着されている。固定部材１５は、一例として非図示の螺子などによって、箱体１４の開口部縁に固定される。この螺子を外すことで、固定部材１５を取り外して蛍光部材３ａを着脱する。なお、蛍光部材３ａの保護や形状の維持のために、蛍光部材３ａとほぼ同一の大きさのガラス板などの透明部材、あるいは光散乱材を含む透明部材、半透明部材などで蛍光部材３ａを支持して、箱体１４に固定してもよい。また、蛍光部材３ａの４辺部分を枠材で覆って保護してもよい。
【００５７】
植物栽培用光源１ｂでは、複数の発光ダイオード２から蛍光部材３ａに光照射され、蛍光部材３ａの青色蛍光体および赤色蛍光体が励起して、同図に示されるように外部に植物栽培用光Ｌが照射される。この植物栽培用光Ｌによって植物Ｐが育成する。
【００５８】
次に、本発明を適用するさらに別の態様について図６を参照しつつ説明する。
【００５９】
この植物栽培用光源１ｃは、発光ダイオード２の光を蛍光部材３ａに導く導光部材６が配されたものである。同図に模式的に示されるように、植物栽培用光源１ｂでは、ほぼ一面が開口した薄型の箱体１４の内部一側面に発光ダイオード２が、箱体１４の中央側に光が射出される向きで配置されている。箱体１４の中には、蛍光部材３ａとほぼ同じ大きさの板状の導光部材６が配置され、この箱体１４の開口部に蓋をするよう覆って蛍光部材３ａが固定部材１５で着脱可能に装着されている。
【００６０】
導光部材６は、一例としてアクリル板の光射出側表面をレーザーなどでＶ溝加工したものであり、端面から入射した光を均一に面発光させる導光板である。発光ダイオード２から射出された光は、導光部材６から蛍光部材３ａに照射される。これにより、同図に示されるように、蛍光部材３ａから外部に植物栽培用光Ｌが照射される。なお、導光部材６と蛍光部材３ａとの間に、光を散乱させて透過させる、一例としてフィルム状の光散乱部材を配することもできる。また、導光部材６の蛍光部材３ａの反対面側に、光を蛍光部材３ａ側に反射させる一例としてフィルム状の光反射部材を配することもできる。また、発光ダイオード２の周囲に、発光した光を導光部材６に向かわせる光反射板を配することもできる。
【００６１】
この場合、複数の発光ダイオード２を、図示した紙面の表面側から裏面側に並ぶように導光部材６の側面に沿って一列に配置することが好ましい。また、箱体１４の一側面側にだけでなく、この一側面に対向する側面、または周囲全体にも発光ダイオード２を配置することもできる。
【００６２】
この植物栽培用光源１ｃは、植物栽培用光源１ｂよりも薄型なものとすることができる。
【００６３】
次に、本発明を適用するさらに別の態様について図７を参照しつつ説明する。
【００６４】
図７に示される、植物栽培用光源１ｄは、青色光源２２（一例として３個図示）、および赤色光源２４（一例として６個図示）が基板２８に実装され、青色光源２２および赤色光源２４の光射出方向（図では上方向）に光散乱板２９を備えて構成されている。
【００６５】
青色光源２２と赤色光源２４とは、それぞれが基板２８上に適当にばらついて混在するように配置される。同図では、３列中の真ん中１列に青色光源２２が配置され、両脇の２列に赤色光源２４が配置されているが、これに限定されず、青色光源２２と赤色光源２４の数に応じて適宜混在するように配置する。
【００６６】
青色光源２２は、すでに上記で説明した発光ダイオード２に、青色光蛍光部材２１が着脱可能に被せられて構成されている。青色光蛍光部材２１は、すでに説明した蛍光部材３と同様に、透光性基材材料に青色蛍光体を含有して、キャップ形状に形成されている。
【００６７】
赤色光源２４は、同様の発光ダイオード２に、赤色光蛍光部材２３が着脱可能に被せられて構成されている。赤色光蛍光部材２３は、すでに説明した蛍光部材３と同様に透光性基材材料に赤色蛍光体を含有して、キャップ形状に形成されている。
【００６８】
光散乱板２９は、透明材料中に、光を散乱させる光散乱材を添加して形成された薄板である。なお、同図では、基板２８と光散乱板２９の側面どうしを繋いで、この側面方向への光漏れを防止する側壁の図示は省略している。光散乱板２９は、植物栽培用光源１ｂ、１ｃに着脱可能に取り付けられた蛍光部材３のように、植物栽培用光源１ｄに着脱可能に取り付けられる。
【００６９】
この植物栽培用光源１ｄは次のように動作する。
【００７０】
青色光源２２および赤色光源２４の発光ダイオード２に非図示の点灯回路から通電することにより、発光ダイオード２が発光する。これにより、青色光蛍光部材２１の青色蛍光体が励起されて、青色光源２２はピーク波長４００ｎｍ〜４８０ｎｍの青色光を発光し、赤色光源２４は赤色光蛍光部材２３の赤色蛍光体が励起されて、ピーク波長６１０ｎｍ〜７８０ｎｍの赤色光を発光する。この青色光および赤色光が光散乱板２９で散乱されて、青色光および赤色光の混合した植物栽培用光Ｌが照射される。
【００７１】
植物栽培用光源１ｄの青色光、赤色光の発光強度比は、青色光源２２と赤色光源２４との数の比を適宜変えることで変更することができる。すなわち、発光強度比は、基板２８に実装されている発光ダイオード２に被せる青色光蛍光部材２１と赤色光蛍光部材２３との数の比を適宜変えることで変更することができる。青色光蛍光部材２１および赤色光蛍光部材２３は、発光ダイオード２に着脱可能に装着されているので、発光強度比を簡便に変更することができる。また、基板には同種の発光ダイオード２しか実装されていないので、異なる種類の発光ダイオードが実装される場合と比較して、点灯回路はシンプルなものとすることができる。
【００７２】
なお、発光ダイオード２から所望する範囲に光が照射される場合には、光散乱板２９を備えなくてもよい。また、光散乱板２９の換わりに、青色光蛍光部材２１および赤色光蛍光部材２３に光散乱材を添加することもできる。
【００７３】
このように、植物栽培用光源１，１ａ，１ｂ，１ｃ，１ｄは、高輝度放電ランプや蛍光灯と比較して、形状がコンパクトであり、熱も発生しないため、省スペースで植物を栽培することができる。したがって、本発明の植物栽培用光源を各々配置した棚を、上下に多数配置して植物を栽培することで、空間使用効率を高めることができる。
【００７４】
なお、植物栽培用光源１，１ｂ，１ｃ，１ｄでは、発光ダイオード２が砲弾型の形状である例について説明したが、本発明に用いることのできる発光ダイオードの形状は特に限定されず、半球型や直方体型、円筒形型であってもよい。また、植物栽培用光源１ｂ，１ｃ，１ｄの発光ダイオード２を、植物栽培用光源１ａに示したような表面実装型のものに変えることもできる。さらに、発光ダイオード２に光を集光、または拡散させるレンズを付したものを用いることもできる。また、蛍光部材３、青色光蛍光部材２１、赤色光蛍光部材２３に光を集光、または拡散させるレンズを、接着または蛍光部材成形と同時に一体成形して付すこともできる。
【００７５】
さらに、蛍光部材３，３ａを積層構造として形成してもよい。例えば、青色蛍光体を透光性基材材料に混合した第１の層と、赤色蛍光体を透光性基材材料に混合した第２の層とを積層して構成することができる。具体的には、キャップ形状の蛍光部材３の場合、発光ダイオード２に被さるキャップ形状の青色蛍光体を透光性基材材料に混合した第１の層と、この第１の層に被さるキャップ形状の赤色蛍光体を透光性基材材料に混合した第２の層とを積層して形成することもできる。層の順番は逆に積層してもよい。このとき、第１の層と第２の層とを接着剤などで固着することもできるし、両層を分離可能に重ねて積層するだけでもよい。シート形状の蛍光部材３ａの場合、シート形状の青色蛍光体を透光性基材材料に混合した第１の層と、シート形状の赤色蛍光体を透光性基材材料に混合した第２の層とを積層する。また、これら積層した両層に散乱剤を添加したシリコーンなどで形成した層をさらに積層することもできる。
【００７６】
また、蛍光体を混合した透光性基材材料を、シリコーンなどの表面に塗布して積層構造として形成することもできる。この場合、透光性基材材料としては、塗布時には流動性を有し、塗布後に安定して定着可能なものが好ましく、例えば、コーティング用のシリコーンや、硬化性を有するシリコーンが挙げられる。塗布して形成する層には、青色蛍光体および赤色蛍光体の両方を混合して塗布してもよいし、青色蛍光体を混合した透光性基材材料を塗布した後に赤色蛍光体を混合した透光性基材材料を塗布して積層構造としてもよい。
【実施例】
【００７７】
以下に、本発明を適用する植物栽培用光源の試作例を実施例１，２，３に示し、本発明を適用外の植物栽培用光源の試作例を比較例１，２に示す。
【００７８】
（実施例１）
実施例１では、図１，２に示される形態の植物栽培用光源１を６個製造し、基板上に一列に配列して、各々に電流制限抵抗を接続すると共に並列接続して６灯を有する植物栽培用光源とした。発光ダイオード２は、砲弾型の近紫外発光ダイオード（エーブライト社製、ＡＬ−５１３ＵＶＣ−Ａ、発光ピーク波長４０３ｎｍ）を用いた。キャップ形状の蛍光部材３は、１個当たりジメチルシリコーン１．３ｇに対し、表１に示される配合比（質量比）で青色蛍光体および赤色蛍光体を混合し、それを金型に流し込み、加熱プレスを用いて１１ＭＰａ、１３０℃、５分間加硫を行って成形した。青色蛍光体は、（ＳｒＣａＢａ）５（ＰＯ４）３Ｃｌ：Ｅｕを用い、赤色蛍光体は、３．５ＭｇＯ・０．５ＭｇＦ２・ＧｅＯ２：Ｍｎを用いた。この植物栽培用光源に直流安定化電源から電源供給して発光させた。発光時の電流（６点灯全体）、および、波長４００ｎｍ〜４８０ｎｍの領域内の青色光と、波長６１０ｎｍ〜７８０ｎｍの領域内の赤色光との発光ピーク波長の強度比を同表に示し、発光スペクトルグラフを図８に示す。
【００７９】
（実施例２）
実施例１の植物栽培用光源から青色蛍光体および赤色蛍光体の配合比のみを表１に示される配合比に変更したものを作成して実施例２とした。青色と赤色との発光ピーク波長の強度比を同表に示し、発光スペクトルを図８に示す。
【００８０】
（実施例３）
実施例３では、図７に示された植物栽培用光源１ｄと同様の形態で、青色光源２２と赤色光源２４との数の比を変化させて、植物栽培用光Ｌの発光スペクトルを測定した。基板２８上に実施例１で用いた近紫外発光ダイオードと同様の発光ダイオード２を複数個配置した。この発光ダイオード２に、青色光蛍光部材２１と赤色光蛍光部材２３とが適度にばらついて配置されるように装着した。青色光蛍光部材２１は、１個当たりジメチルシリコーン１．３ｇに対し、青色蛍光体０．３ｇを混合し、それを金型に流し込み、加熱プレスを用いて１１ＭＰａ、１３０℃、５分間加硫を行って成形した。青色蛍光体は、（ＳｒＣａＢａ）５（ＰＯ４）３Ｃｌ：Ｅｕを用いた。赤色光蛍光部材２３は、１個当たりジメチルシリコーン１．３ｇに対し、赤色蛍光体０．３ｇを混合し、それを金型に流し込み、青色光蛍光部材２１と同一条件で成形した。赤色蛍光体は、３．５ＭｇＯ・０．５ＭｇＦ２・ＧｅＯ２：Ｍｎを用いた。光散乱板２９は、厚さ０．７ｍｍのシリコーン製の板を用いた。この光散乱板２９には、光散乱材として、酸化チタンおよび炭酸カルシウムを添加した。
【００８１】
青色光蛍光部材２１（青色光源）と赤色光蛍光部材２３（赤色光源）との数の比を、１：１、１：２、１：３、１：４に変えた場合の植物栽培用光源１ｄの発光スペクトルグラフを図１１に示す。なお、比率によっては、青色光蛍光部材２１または赤色光蛍光部材２３のどちらも装着しない発光ダイオード２が生じるが、このような発光ダイオード２は消灯させた。
【００８２】
図１１の結果から、青色（波長４００ｎｍ〜４８０ｎｍ）と赤色（６１０ｎｍ〜７８０ｎｍ）とにおける発光ピーク波長の強度比は、赤色光蛍光部材２３の比率が高くなるに従って、赤色の比率が高くなった。なお、同図では、スペクトル強度は、相対強度（任意目盛）で図示しているので、赤色光蛍光部材２３の比率が高くなると青色のピーク強度が下がったように図示されている。
【００８３】
このように、青色光蛍光部材２１と赤色光蛍光部材２３との比率を変えることで、青色光と赤色光との比率が変化することを確認できた。これにより、同一の発光ピーク波長を有する発光ダイオード２を配列した基板２８を用いて、適宜所望の比率で青色光蛍光部材２１と赤色光蛍光部材２３との数を変えることにより、光の強度比を簡便に変更できることが確認できた。したがって、植物育成に適した光を簡便に得ることができる。
【００８４】
（比較例１）
６個の砲弾型の白色発光ダイオード（日亜化学工業株式会社製、ＮＳＰＷ５１０ＢＳ）を基板上に一列に配列して、各々に電流制限抵抗を接続すると共に並列接続して６灯を有する光源とした。発光時の電流（６点灯全体）、および、青色と赤色との発光ピーク波長の強度比を同表に示し、発光スペクトルを図８に示す。
【００８５】
【表１】
2010193824.tif 000003
【００８６】
（栽培実験に用いた栽培用容器）
高さ２３ｃｍ、直径２２ｃｍの円筒状の容器の上部に蓋をして、容器内部に外部から光が入らないものを用いた。容器は、光が反射するように表面が金属メッキされて光沢のあるものを用いた。実施例１，２および比較例１の光源を、各々別々の容器の蓋の内側中心部に、光源先端から容器の底面まで２０ｃｍの位置となるように取り付けて栽培用容器とした。
【００８７】
（水菜の栽培実験）
ガラス皿にスポンジを敷き詰め、その上に水菜の種をおき、種が軽く浸かる程度に水を入れたものを３つ用意した。このガラス皿を、１つずつ実施例１，２および比較例１の光源を取り付けた栽培用容器の底面中央部におき、同時に光源を点灯して栽培した。このように栽培した水菜の茎の長さと経過日数との関係を図９に示す。
【００８８】
比較例１よりも実施例１，２のほうが茎が長く成長した。また、実施例２のほうが実施例１よりも茎が長く成長した。
【００８９】
（かいわれ大根の栽培実験）
ガラス皿にスポンジを敷き詰め、その上にかいわれ大根の種をおき、種が軽く浸かる程度に水を入れたものを２つ用意した。このガラス皿を、１つずつ実施例２および比較例１の光源を取り付けた栽培用容器の底面中央部におき、同時に光源を点灯して栽培した。このように栽培したかいわれ大根の茎の長さと経過日数との関係を図１０に示す。
【００９０】
比較例１よりも実施例２のほうが茎が長く成長した。
【００９１】
（比較例２）
比較例２として、赤色、緑色、青色の３つの発光ダイオードが１チップに内蔵された白色発光ダイオード（日亜化学工業株式会社製、ＮＳＳＭ０１６Ａ）を用いて、植物栽培用光源とした。この白色発光ダイオードには、赤色用のアノード電極およびカソード電極、緑色用のアノード電極およびカソード電極、青色用のアノード電極およびカソード電極の計６本の端子があって、赤色、緑色、青色の各ダイオード用の３系統の点灯回路を接続する必要があるため、点灯回路が複雑になる。また各光の発光強度比を変更させるためには、３系統の点灯回路から供給する電流を可変させなければならないため、一層回路が複雑になる。
【産業上の利用可能性】
【００９２】
本発明の植物栽培用光源は、野菜や果物、花卉などの植物を、人工的に栽培するための光源に用いられる。
【符号の説明】
【００９３】
１，１ａ，１ｂ，１ｃ，１ｄは植物栽培用光源、２は発光ダイオード、３，３ａは蛍光部材、４は発光チップ部、５はリードフレーム、６は導光部材、８は接着材、９ａは凸部、９ｂは雄螺子、９ｃは嵌合孔、１０は基板、１４は箱体、１５は固定部材、２１は青色光蛍光部材、２２は青色光源、２３は赤色光蛍光部材、２４は赤色光源、２８，３１は基板、２９は光散乱板、３０ａはアノード電極、３０ｂはカソード電極、３２ａ，３２ｂはプリントパターン、Ｌは植物栽培光、Ｐは植物である。
【図１】
2010193824.tif 000004
【図２】
2010193824.tif 000005
【図３】
2010193824.tif 000006
【図４】
2010193824.tif 000007
【図５】
2010193824.tif 000008
【図６】
2010193824.tif 000009
【図７】
2010193824.tif 000010
【図８】
2010193824.tif 000011
【図９】
2010193824.tif 000012
【図１０】
2010193824.tif 000013
【図１１】
2010193824.tif 000014